【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
水分媒体を１つまたはそれ以上の飲料成分に接触させることにより飲料を生成する飲料調整マシンであって、
飲料を容器に放出する出口流路の少なくとも一部を構成するチューブを有し、
チューブは、飲料を受容する上流端と、飲料を放出する下流端とを有し、
上流端が少なくとも８ｍｍの特徴的内部寸法を有し、下流端が少なくとも１０ｍｍの特徴的内部寸法を有し、
上流端における特徴的内部寸法は、下流端における特徴的内部寸法より小さいことを特徴とする飲料調整マシン。
【請求項２】
飲料調整マシンであって、
チューブは、上流端における８ｍｍの最小の特徴的内部寸法、および／または下流端における１２ｍｍの最小の特徴的内部寸法、および／または上流端と下流端との間の位置における１０ｍｍの最小の特徴的内部寸法を有することを特徴とする飲料調整マシン。
【請求項３】
チューブの下流端は、出口流路の末端部分であることを特徴とする請求項１または２に記載の飲料調整マシン。
【請求項４】
チューブの下流端は、チューブから放出される飲料を受容する中間部材に隣接することを特徴とする請求項１または２に記載の飲料調整マシン。
【請求項５】
チューブは、飲料調整マシンの外部から飲料に空気を供給するための入口として機能することを特徴とする請求項１〜４のいずれか１に記載の飲料調整マシン。
【請求項６】
飲料調整マシンは、空気を飲料内に取り込むための空気取込部を有することを特徴とする請求項１〜５のいずれか１に記載の飲料調整マシン。
【請求項７】
飲料調整マシンは、飲料成分を収容するカートリッジを受容するように構成され、
カートリッジは、空気を飲料内に取り込むための空気取込部を有することを特徴とする請求項１〜５のいずれか１に記載の飲料調整マシン。
【請求項８】
チューブは、飲料調整マシンの外部から空気取込部に空気を供給するための単一の空気供給源を構成することを特徴とする請求項６または７に記載の飲料調整マシン。
【請求項９】
チューブは、飲料調整マシンの飲料生成チャンバまたは飲料調整マシンに受容されるカートリッジの内部の圧力を変えるために圧縮可能であることを特徴とする請求項１〜８のいずれか１に記載の飲料調整マシン。
【請求項１０】
上流端の特徴的内部寸法は、下流端の特徴的内部寸法と異なり、
好適には、上流端の特徴的内部寸法は、下流端の特徴的内部寸法より小さいことを特徴とする請求項１〜９のいずれか１に記載の飲料調整マシン。
【請求項１１】
チューブの下流端は、少なくとも１つの平面において非対称的であり、および／または
チューブの下流端は、円形でない断面を有し、好適には（ａ）正方形もしくは（ｂ）楕円であり、または最も好適には（ｃ）カッシーニ卵形であることを特徴とする請求項１〜１０のいずれか１に記載の飲料調整マシン。
【請求項１２】
チューブの下流端は、少なくとも１つの平坦な面を有し、および／または
チューブの下流端におけるチューブの壁部は、半径方向の内側または外側に向かって面取りされたことを特徴とする請求項１〜１１のいずれか１に記載の飲料調整マシン。
【請求項１３】
チューブの下流端におけるチューブの壁部は、０．５ｍｍ未満の厚みを有することを特徴とする請求項１〜１２のいずれか１に記載の飲料調整マシン。
【請求項１４】
チューブの下流端は、チューブの中心軸に対して垂直でないことを特徴とする請求項１〜１３のいずれか１に記載の飲料調整マシン。
【請求項１５】
水分媒体を受容する入口、水分媒体を１つまたはそれ以上の飲料成分に接触させることにより生成された飲料を放出する出口とを有する飲料生成チャンバを備えた飲料調整マシンであって、
飲料調整マシンは、飲料を受容するために飲料生成チャンバの出口の下流側に配置され、使用時、飲料調整マシンにより調整された飲料を最終的に受容する容器と飲料生成チャンバとの間に配置された中間部材を有し、
中間部材は、使用時、飲料生成チャンバの出口から飲料を受容するキャビティを構成し、キャビティは、最下点を含むベースおよび最下点に対して隆起した少なくとも１つの領域を有し、
ベースは、複数の孔部を有し、
孔部は、ベースの最下点またはその付近に配置された１つまたはそれ以上の孔部と、最下点に対して隆起した少なくとも１つの領域に配置された１つまたはそれ以上の孔部とを含むか、または最下点またはその付近から、最下点に対して隆起した少なくとも１つの領域に延びるように構成されたことを特徴とする飲料調整マシン。
【請求項１６】
ベースは、２次元より高い次元で湾曲し、および／または椀状形状を有することを特徴とする請求項１５に記載の飲料調整マシン。
【請求項１７】
ベースは、中間部材の長手方向軸の周りの中実回転体であり、
長手方向軸は、ベースの最下点を貫通し、および／または
ベースは、凹状形状を有し、一定の曲率半径を有することを特徴とする請求項１５または１６に記載の飲料調整マシン。
【請求項１８】
飲料を容器に放出する出口流路の少なくとも一部を構成するチューブを有し、
チューブは、飲料を受容する上流端と、飲料を放出する下流端とを有し、
上流端が少なくとも８ｍｍの特徴的内部寸法を有し、下流端が少なくとも１０ｍｍの特徴的内部寸法を有し、
上流端における特徴的内部寸法は、下流端における特徴的内部寸法より小さく、
チューブの下流端が中間部材に供給することを特徴とする請求項１５に記載の飲料調整マシン。
【請求項１９】
請求項１〜１８のいずれか１に記載の飲料調整マシンを有し、
１つまたはそれ以上のカートリッジは、１つまたはそれ以上の飲料成分を収容することを特徴とするシステム。
【請求項２０】
飲料調整マシンは、飲料に空気を取り込む空気取込部を有する第１のタイプのカートリッジを収容するように構成可能であり、このとき空気取込部の空気インレットまでの空気供給流路がチューブを経由し、または
飲料調整マシンは、空気取込部を有さない第２のタイプのカートリッジを収容するように構成可能であり、このとき飲料は、可変的形状を有するバルブを用いて、バルブを通る飲料を撹拌することにより生成されることを特徴とする請求項１９に記載のシステム。
【請求項２１】
飲料を調整する方法であって、
飲料調整マシンの飲料生成チャンバ内で飲料を生成するステップと、
飲料を飲料生成チャンバから圧縮可能なチューブに放出するステップと、
飲料生成チャンバに向かうチューブ内の空気のフローを制御するためにチューブを圧縮するステップと、
飲料を容器に放出するステップとを有することを特徴とする方法。
【請求項２２】
飲料を調整する方法であって、
飲料調整マシンの飲料生成チャンバ内で飲料を生成するステップと、
飲料を飲料生成チャンバから中間部材のキャビティ内に放出するステップと、
キャビティは、最下点を含むベースおよび最下点に対して隆起した少なくとも１つの領域を有し、ベースは、複数の孔部を有し、孔部は、ベースの最下点またはその付近に配置された１つまたはそれ以上の孔部と、最下点に対して隆起した少なくとも１つの領域に配置された１つまたはそれ以上の孔部とを含み、
飲料を複数の孔部のうち１つまたはそれ以上の孔部に通すステップと、
飲料を容器に放出するステップとを有することを特徴とする方法。
【請求項２３】
比較的に小さい流量の飲料をキャビティ内に放出する場合、飲料は、湾曲したベースの最下点またはその付近に配置された１つまたはそれ以上の孔部のみを通って放出される傾向があり、
比較的に大きい流量の飲料をキャビティ内に放出する場合、飲料は、キャビティ内に充填され、湾曲したベースの最下点またはその付近に配置された１つまたはそれ以上の孔部だけでなく、最下点に対して隆起した少なくとも１つの領域に配置された１つまたはそれ以上の孔部を通って放出される傾向があることを特徴とする請求項２２に記載の方法。
【請求項２４】
複数の孔部を介して、飲料を容器に放出するとき、飲料は、ベースの下側部分に沿って流れ、単一の飲料ストリームとして統合され、ベースの最下点またはその付近で中間部材から分離することを特徴とする請求項２２または２３に記載の方法。
【請求項２５】
１つまたはそれ以上の飲料成分を含むカートリッジを飲料生成チャンバ内に挿入するステップをさらに有することを特徴とする請求項２１〜２４のいずれか１に記載の方法。